(57)【要約】【課題】作業者が工具を取り替える際にバランスを崩すことなく、また、作業効率を低下させることなく、さらに、棚に載置した工具類が交換時や作業時に落下する虞のない工具収納袋構造を提供する。【解決手段】左右二つ割とした左右天板を左側前後脚柱と右側前後脚柱とにそれぞれ連設し、左側前脚柱上端と、右側前脚柱上端を枢支連結すると共に左側後脚柱上端と、右側後脚柱上端とを枢支連結して、左側前後脚柱と右側前後脚柱とを上端枢支部を中心に折畳み自在に構成した脚立構造において、左側前後脚柱と右側前後脚柱の中途部に四隅を各脚柱に連結自在とした受け皿体を架設し、受け皿体の中央部は左側前後脚柱と右側前後脚柱との折畳み形態に合わせて折曲自在に構成し、しかも、受け皿体はその中央部を折曲仕切り部として全体中空の左右袋体に構成し、左右袋体には硬質プレートを取出し自在に収納してなる脚立工具収納構造。【選択図】図１
2020101015.tif 000002
【特許請求の範囲】
【請求項１】
左右二つ割とした左右天板を
左側前後脚柱と右側前後脚柱とにそれぞれ連設し、
左側前脚柱上端と、右側前脚柱上端を枢支連結すると共に
左側後脚柱上端と、右側後脚柱上端とを枢支連結して、
左側前後脚柱と右側前後脚柱とを上端枢支部を中心に折畳み自在に構成した脚立構造において、
左側前後脚柱と右側前後脚柱の中途部に四隅を各脚柱に連結自在とした受け皿体を架設し、
受け皿体の中央部は左側前後脚柱と右側前後脚柱との折畳み形態に合わせて折曲自在に構成し、
しかも、受け皿体はその中央部を折曲仕切り部として全体中空の左右袋体に構成し、左右袋体には硬質プレートを取出し自在に収納した脚立工具収納構造。
【請求項２】
前記受け皿体の四隅部から支持片を延設し、前記受け皿体の周端部に周壁部を構成し、前記周壁部及び前記支持片に係止部を構成したことを特徴とする請求項１に記載の脚立工具収納構造。
【請求項３】
前記係止部に脚立の脚柱と踏桟との連結部に係止する着脱自在のワイヤーチェーンを取り付ける構成としたことを特徴とする請求項２に記載の脚立工具収納構造。
【発明の詳細な説明】
【技術分野】
【０００１】
この発明は、脚立工具収納構造に関する。
【背景技術】
【０００２】
従来、脚立を利用した高所作業において作業内容を変更するためには作業者の腰に工具を収容したポーチを取付けて高所作業を行うか、一旦脚立から下りて必要な工具と交換し、再度作業場所まで戻る昇降動作を必要としていた。
上記工具の交換作業のうち作業者の腰に工具ポーチを備えた状態では、足場の不安定な脚立上部での作業によりバランスを崩す虞や腰部に荷重が集中して腰を痛める虞があった。また、工具を交換するために脚立の昇降動作をする場合は工具類の載置場所と作業場所との往復運動が必要となり作業効率が悪かった。
このような問題を解消するために作業性を向上しつつ作業者への負担を軽減した種々の方法が検討されている。
【０００３】
特許文献１には、軽量で脚立への取付け取外しが簡単で、工具類を載置した際にもバランスを崩さないように重心を脚立の平面視略中央に位置できる脚立用工具載置具について記載されている。この脚立用工具載置具は1枚の織布の各隅部から脚立に取付け固定するための鉤爪状のフックを延設し、脚立の脚柱と天板とで囲まれた空間にフックを利用して固定することで脚立用の収納棚として機能させ、作業者が昇降動作することなく負担を軽減することができる構成について開示されている。
【０００４】
特許文献２には、脚立内側の空間を有効利用して作業用工具を収容できる脚立用工具袋について記載されている。この脚立用工具袋は、脚立の内部空間に収まる寸法の工具袋本体と、該工具袋本体の各隅部に設けた脚立の踏桟に引っ掛けるフック体を備えた構成とすることで脚立の内側の空間を有効利用できる工具袋について開示されております。
【先行技術文献】
【特許文献】
【０００５】
【特許文献１】実登３２１７１３９号公報
【特許文献２】実登３１４９９７９号公報
【発明の開示】
【発明が解決しようとする課題】
【０００６】
しかしながら、いずれの文献に開示された脚立用の工具袋も、例えば、脚立に搭乗した作業者の作業性と載置した工具類の落下防止の２つの特性を考慮したものではなかった。
【０００７】
そこで、本発明は脚立に搭乗した作業者が工具を取り替える際にバランスを崩すことなく、また、作業効率を低下させることなく、さらに、棚に載置した工具類が交換時や作業時に落下する虞のない工具収納袋構造を提供することを目的とする。
【課題を解決するための手段】
【０００８】
この発明は、左右二つ割とした左右天板を左側前後脚柱と右側前後脚柱とにそれぞれ連設し、左側前脚柱上端と、右側前脚柱上端を枢支連結すると共に左側後脚柱上端と、右側後脚柱上端とを枢支連結して、左側前後脚柱と右側前後脚柱とを上端枢支部を中心に折畳み自在に構成した脚立構造において、左側前後脚柱と右側前後脚柱の中途部に四隅を各脚柱に連結自在とした受け皿体を架設し、受け皿体の中央部は左側前後脚柱と右側前後脚柱との折畳み形態に合わせて折曲自在に構成し、しかも、受け皿体はその中央部を折曲仕切り部として全体中空の左右袋体に構成し、左右袋体には硬質プレートを取出し自在に収納した脚立工具収納構造とする。
【０００９】
また、前記受け皿体の四隅部から支持片を延設し、前記受け皿体の周端部に周壁部を構成し、前記周壁部及び前記支持片に係止部を構成した脚立工具収納構造とする。
【００１０】
前記係止部に脚立の脚柱と踏桟との連結部に係止する着脱自在のワイヤーチェーンを取り付ける構成とした脚立工具収納構造とする。
【発明の効果】
【００１１】
この発明によれば、左右二つ割とした左右天板を左側前後脚柱と右側前後脚柱とにそれぞれ連設し、左側前脚柱上端と、右側前脚柱上端を枢支連結すると共に左側後脚柱上端と、右側後脚柱上端とを枢支連結して、左側前後脚柱と右側前後脚柱とを上端枢支部を中心に折畳み自在に構成した脚立構造において、左側前後脚柱と右側前後脚柱の中途部に四隅を各脚柱に連結自在とした受け皿体を架設し、受け皿体の中央部は左側前後脚柱と右側前後脚柱との折畳み形態に合わせて折曲自在に構成し、しかも、受け皿体はその中央部を折曲仕切り部として全体中空の左右袋体に構成し、左右袋体には硬質プレートを取出し自在に収納したため、受け皿体の左右袋体に硬質プレートを内包することで、受け皿体の上部に工具を載置しても受け皿体が撓む蓋然性を可及的に低減し、脚立に搭乗した作業者と載置した工具との位置関係を略一定にできる。
また、受け皿体は折曲仕切り部を設けることで、脚立を収納する際に左右袋体に硬質プレートを内包した状態でも折曲仕切り部を中心として取り畳むことができる。
また、受け皿体の前後左右を脚立の前後左右の脚柱に連結自在とする構成のため、受け皿体の上部に工具を載置するための平面を形成できる。
また、受け皿体は帆布の一端側縁を開放した左右袋体に構成したため、硬質プレートを挿入した状態で工具載置用の棚として機能し、硬質プレートを取り出した状態では袋形状として利用することができる。
【００１２】
また、本発明の請求項２に記載の発明によれば、前記受け皿体の四隅部から支持片を延設し、前記受け皿体の周端部に周壁部を構成し、前記周壁部及び前記支持片に係止部を配設したため、受け皿体の対向する四方向に均等に引っ張られた際に棚が傾く蓋然性を可及的に低減している。また、受け皿体の周端部に周壁部を構成することで、受け皿体の上面に載置した工具が落下する蓋然性を可及的に低減し、脚立上での工具の交換作業を効率よく実施できる。
【００１３】
また、本発明の請求項３に記載の発明によれば、前記係止部に脚立の脚柱と踏桟との連結部に係止する着脱自在のワイヤーチェーンを取り付ける構成としたため、ワイヤーチェーンを脚柱に巻きまわすことで周壁部が前後左右に均等に引っ張られて確実に工具を落下しない高さに形成すると共に、工具載置面を水平に形成して受け皿体に載置された工具等が収納及び取り出しの際、又は作業中に落下する虞を可及的に低減できる。
【図面の簡単な説明】
【００１４】
【図１】本発明の実施形態における脚立の工具収納構造を脚立に取り付けて使用する状態を示す斜視図である。
【図２】本発明の実施形態における脚立の工具収納構造を脚立に取り付けた状態を示す側面図である。
【図３】本発明の実施形態における脚立の工具収納構造を脚立に取り付けて脚立を折り畳んだ状態を示す側面図である。
【図４】本発明の実施形態に置ける脚立の工具収納構造を示す斜視図である。
【図５】本発明の実施形態における脚立の工具収納構造を示す平面図である。
【図６】本発明の実施形態における脚立の工具収納構造を示す図５のＡ−Ａ断面図である。
【発明を実施するための形態】
【００１５】
本発明は、左右二つ割とした左右天板を左側前後脚柱と右側前後脚柱とにそれぞれ連設し、左側前脚柱上端と、右側前脚柱上端を枢支連結すると共に左側後脚柱上端と、右側後脚柱上端とを枢支連結して、左側前後脚柱と右側前後脚柱とを上端枢支部を中心に折畳み自在に構成した脚立構造において、左側前後脚柱と右側前後脚柱の中途部に四隅を各脚柱に連結自在とした受け皿体を架設し、受け皿体の中央部は左側前後脚柱と右側前後脚柱との折畳み形態に合わせて折曲自在に構成し、しかも、受け皿体はその中央部を折曲仕切り部として全体中空の左右袋体に構成し、左右袋体には硬質プレートを取出し自在に収納した構成としたことを要旨としている。
【００１６】
この発明の実施形態について図１〜図６を参照して詳細に説明する。以下の説明において、図１に示す矢印Ａで示す方向を正面とし、矢印Ｂで示す方向を側面としている。
【００１７】
本発明の脚立の工具収納構造Ｓは、図１に示すように脚立１０と、脚立１０の対向する脚柱１２間に架設する受け皿体４０とで構成している。
【００１８】
脚立１０は、左右２つ割れの天板１１,１１と、各天板１１,１１に連結した脚柱１２ａ，１２ｂ，１２ｃ，１２ｄと、脚柱１２ａ，１２ｂ，１２ｃ，１２ｄの内、右前脚柱１２ａと左前脚柱１２ｄ（または、右後脚柱１２ｂと左後脚柱１２ｃ）を枢支連結する枢支部１３ｅと、脚柱１２ａ，１２ｂ，１２ｃ，１２ｄの上下方向に所定間隔で対向する右前脚柱１２ａと右後脚柱１２ｂ（または、左前脚柱１２ｄと左後脚柱１２ｄ）間に架設した踏桟１６とで構成している。
【００１９】
天板１１は平面視略方形状に構成しており、長手方向の両端部に左側前後脚柱１２ｄ，１２ｃと右側前後脚柱１２ａ，１２ｂの上端部を連結している。
【００２０】
左側前後脚柱１２ｄ，１２ｃと右側前後脚柱１２ａ，１２ｂはそれぞれ上端部でヒンジ軸取付け連結金具１３ａ、１３ｂ、１３ｃ、１３ｄを介して枢支連結している。
このヒンジ軸取付け連結金具１３ａ、１３ｂ、１３ｃ、１３ｄは側面視略三角形状で１つの頂点部を円弧状に構成しており、この円弧中心で２枚のヒンジ軸取付け連結金具（例えば、ヒンジ軸取付金具１３ａ，１３ｄ、または、ヒンジ軸取付金具１３ｂ，１３ｃ）が回動自在に枢支連結されている。このように構成することでヒンジ軸取付け金具１３に連結した各脚柱１２ａ，１２ｂ，１２ｃ，１２ｄを左右方向に回動自在としている。
また、この枢支部１３ｅは左右天板１１，１１間の左右方向略中央に位置しており、左側前後脚柱１２ｄ，１２ｃと右側前後脚柱１２ａ，１２ｂが折り畳まれる際の偏りを規制している。
【００２１】
また、右側前後脚柱１２ａ、１２ｂ間には上下所定間隔で地面に対して略水平に板状の踏桟１６を複数枚架設している。
左側前後脚柱１２ｄ、１２ｃ間も同様に上下所定間隔で地面に対して略水平に板状の踏桟１６を複数枚架設している。
【００２２】
左側前脚柱１２ｄと右側前脚柱１２ａ（または、左側後脚柱１２ｃと右側後脚柱１２ｂ）の一側面には左右前後脚柱１２ａ、１２ｂ、１２ｃ、１２ｄの左右方向への回動が所定の角度以上に開かないように左右前後脚柱１２ａ、１２ｂ、１２ｃ、１２ｄの左右方向への回動を規制する係合手段２０を設けている。
【００２３】
係合手段２０は２枚の板状の開き止め金具２１，２１と、開き止め金具２１の略中央部で２枚の開き止め金具２１，２１を回動自在に連結する枢支部２２と、左右脚柱１２ｄ，１２ａ（または、左右脚柱１２ｃ，１２ｂ）から側方に突設した係合ピン２３，２３とで構成している。
【００２４】
開き止め金具２１は、正面視略方形状で隅部を円弧状とした略板状に形成し、一端部を脚柱（例えば、脚柱１２ａ）の側面から前後外方に突設した係合ピン２３に回動自在に連結している。また、開き止め金具２１の他端部は枢支部２２を介して他の開き止め金具２１に回動自在に連結している。各開き止め金具２１，２１のうち一方の開き止め金具２１の上端部には、回転規制部（図示せず）を備えており、各開き止め金具２１，２１に連結した左側前後脚柱１２ｃ，１２ｄと右側前後脚柱１２ａ，１２ｂが一定以上左右方向に開かないように規制している。
【００２５】
このように脚立１０を構成することで、脚立１０を使用する際には係合手段２０の図示しないロック機構を解除して、左側前後脚柱１２ａ，１２ｄと右側前後脚柱１２ａ，１２ｂを正面視略ハ字状となる形態までヒンジ軸取付け連結金具１３ａ、１３ｂ、１３ｃ、１３ｄを介して回動し、係合手段２０にて脚立１０を開脚状態に固定できると共に、脚立１０の左右２つの天板１１，１１を所定の高さに固定できる。
【００２６】
この脚立１０の左側前後脚柱１２ｃ，１２ｄと右側前後脚柱１２ａ、１２ｂとを略ハ字形状の開脚状態で固定することで左右天板１１，１１と左側前後脚柱１２ｃ、１２ｄと右側前後脚柱１２ａ、１２ｂとで囲われた工具載置空間３０が形成される。
【００２７】
工具載置空間３０には左右側前後脚柱１２ａ，１２ｂ，１２ｃ、１２ｄと踏桟１６との連結部に後述するワイヤーチェーン１００を巻回して受け皿体４０を連結固定している。
【００２８】
受け皿体４０は、図４に示すように、２枚の略長方形の布を縫製することで構成しており、工具の載置部となる上層布５０と、上層布５０と略同一形状で上層布５０の下面に縫製した下層布６０と、上層布５０及び下層布６０の側面視略中央部を幅広に縫製することで形成した下層布６０と、上層布５０及び下層布６０の左右方向略中央を幅広に前後端部まで縫製することで形成した折曲仕切り部Ｐと、折曲仕切り部Ｐによって受け皿体４０の左右に形成された左右袋体７０，７０と、左右袋体７０，７０にそれぞれ収納された硬質プレート８０，８０と、左右袋体７０，７０の開口部７１近傍に配設した面ファスナー９０と、上層布５０と下層布６０の縫製した各隅部から延設した支持片５３と、支持片５３の側面視略中央に穿設した支持片鳩目５４と、支持片鳩目５４に係合して受け皿体４０を支持するワイヤーチェーン１００とで構成している。
【００２９】
下層布６０は、図４及び図６に示すように、平面視略長方形状で短手方向の両端部及び長手方向の一端部を上方に折曲して折曲片６１を構成し、３辺が折曲片６１に囲まれて１辺を開放状態とした略箱型に構成している。
【００３０】
上層布５０は平面視略長方形状で各辺を上方に折曲して一定距離立ち上げた後に再度下方に折曲することで断面略Ｕ字形状の壁面５１ａ、５１ｂ、５１ｃ、５１ｄを構成し、さらに、上層布５０の各隅部５５ａ、５５ｂ、５５ｃ、５５ｄから側面視略方形状の支持片５３ａ、５３ｂ、５３ｃ、５３ｄを延設している。
【００３１】
この支持片５３ａ、５３ｂ、５３ｃ、５３ｄは正面視略方形状の略中央部に略円形の孔を穿設しており、この孔に支持片鳩目５４を圧着している。この支持片鳩目５４には、ワイヤーチェーン１００を連結している。
【００３２】
ワイヤーチェーン１００は、図４に示すように、細い金属ワイヤーを捩じり束ねてひも状とし、その回りをビニールで被覆し、さらに、両端部に着脱自在の連結手段１０１を係合している。
【００３３】
このように構成された下層布６０及び上層布５０は、上層布５０の壁面５１に形成した略逆Ｕ字状の凹部５１ｅに下層布６０の折曲片６１及び略方形状の芯材５６を挿入し、この状態で下層布６０及び上層布５０の立ち上がり基端部を縫製することで周壁部Ｗを構成している。この周壁部Ｗは３辺を下層布６０の折曲片６１が構成された位置に上述のように構成している。残りの１辺に関しては上層布５０の壁面５１と略逆Ｕ字状の凹部５１ｅに挿入した芯材５６とを併せて縫製することで構成している。
【００３４】
また、上層布５０及び下層布６０の左右方向略中央部は一定の幅員で前後方向の両端部に亘って縫製した折曲仕切り部Ｐを構成している。
この折曲仕切り部Ｐを構成することで左右均等に左右袋体７０を構成している。
【００３５】
左右袋体７０は３辺を閉塞された袋形状で１辺を開口状態として開口部７１を構成している。この開口部７１近傍の上層布５０の端部背面側と下層布６０の端部上面側にそれぞれ面ファスナー９０、９０を配設している。
【００３６】
面ファスナー９０はフック部９１とループ部９２とで構成されており、上層布５０の下面側にループ部９２を配設し、下層布６０の端部上面にフック部９１を構成している。ここで、面ファスナー９０のフック部９１とループ部９２は接触した際の強度が異なっており、フック部９１よりもループ部９２の方が柔らかく形成されている。
そのため、左右袋体７０、７０に略方形所の硬質プレート８０、８０を挿脱する際に貼付した面ファスナー９０が硬質プレート８０の挿脱を阻害することがない。
なお、左右袋体７０に挿入される硬質プレート８０は高所作業に利用される工具類を載置した際に変形する虞がなく、前述の面ファスナー９０で開口部７１を閉塞した際に面ファスナー９０によって係合している開口部７１が開放しない重量であればどのような材質で構成されていてもよく、例えば、ダンパネで構成されている。
【００３７】
また、硬質プレート８０，８０のいずれかの上面前端部に硬質プレート８０の半分程度の大きさの磁性体８１を貼設している。
このように硬質プレート８０，８０のいずれかの上面に磁性体８１を貼設することで上層布５０を介して金属製の作業部材（例えば、釘やネジ）などを磁性体８１の上面に固定できる。そのため、脚立１０を開脚した状態で受け皿体４０を使用する際には、金属製の部材を所定の位置に固定でき作業中に作業部材を探す手間を可及的に低減して作業性を向上すると共に、作業終了後には収納箱に金属製の作業部材を収納することなく受け皿体４０に固定した状態で脚立１０を閉脚して収納できる。
【００３８】
また、受け皿体４０の左右袋体７０，７０の開口部７１に面ファスナー９０を配設することで左右袋体７０，７０に内包した硬質プレート８０、８０の位置を規制できる。
【００３９】
また、受け皿体４０は左右袋体７０、７０に内包した硬質プレート８０、８０と上層布５０の前後左右端部に周壁部Ｗａ、Ｗｂ、Ｗｃ、Ｗｄを構成することで上層布５０に工具を載置し、外的要因によって受け皿体４０が揺動したとしても工具が落下する蓋然性を可及的に低減している。
【００４０】
また、受け皿体４０の四隅近傍で左右側に位置する周壁部Ｗａ、Ｗｃに壁部鳩目５２ａ、５２ｂ、５２ｃ，５２ｄを配設している。この壁部鳩目５２ａ、５２ｂ、５２ｃ，５２ｄには連結手段１０１を介してワイヤーチェーン１００の一端部を係止し、ワイヤーチェーン１００の他端部を脚立１０の内方、すなわち、脚柱の内側（例えば、右前脚柱１２ａと右後脚柱１２ｂの間）から脚柱１２ａの外方に向かうように巻き回し、その後、支持片鳩目５４に連結手段を介して係合している。
【００４１】
このように受け皿体４０は、ワイヤーチェーン１００を周壁部Ｗの壁部鳩目５２に連結し、脚立１０の脚柱１２の内方から外側に向けて巻回して支持片５３の支持片鳩目５４に連結する構成とすることで、受け皿体４０が自重や載置した工具の重量により下方に変位しようとするが、この変位動をワイヤーチェーン１００が規制する。この際ワイヤーチェーン１００には受け皿体４０の下方変位に抗する力が生起しており、この生起した斜め上方への力により確実に四方の周壁部Ｗａ、Ｗｂ、Ｗｃ、Ｗｄを立ち上げた状態を保持できる。
【００４２】
このように受け皿体４０を構成することで左右袋体７０、７０に硬質プレート８０、８０を内包した状態で折曲仕切り部Ｐを中心として折り畳むことができる。なお、この折曲仕切り部Ｐは幅によって受け皿体４０の棚としての剛性と作業終了時の折り畳む際の作業性に影響を及ぼす。
【００４３】
仮に、折曲仕切り部Ｐが最適状態よりも広い場合は、工具を載置した際に工具重量により上層布５０の略中央部に凹部が形成され、硬質プレート８０，８０上部の略水平状態を維持することができず、載置した工具と作業者との間に一定の空間が形成されてしまい作業性を損なう虞がある。
【００４４】
また、折曲仕切り部Ｐが最適状態よりも狭い場合は、左右袋体７０、７０に内包した硬質プレート８０、８０の側面が他方の硬質プレートと接触状態となり受け皿体４０の剛性が向上して上層布５０の上部を略水平状態に維持することができる。しかし、高所作業が終了し、脚立１０を折り畳む際には左右袋体７０，７０に内包した硬質プレート８０，８０の内側面が干渉してしまう。そのため、受け皿体４０を設置した状態で脚立１０を収納する際にはいずれか一方の硬質プレート８０，８０を抜き取るか、両方の硬質プレート８０，８０を抜き取る必要が生じ、作業性を損なう虞がある。
【００４５】
上述のように構成された受け皿体４０を脚立１０の脚柱１２間に架設することで脚立１０の工具収納構造を構成しており、その設置手順について図１〜３を参照して説明する。
【００４６】
まず、脚立１０の脚柱１２を閉脚状態からヒンジ軸取付け金具１３の枢支部１３ｅを回転中心として前後方向に回動し、脚立１０の使用状態となる所定の角度まで開脚する。脚立１０の最大開脚状態は係合手段２０によって最大開脚状態から脚柱１２が開かないように固定されている。
【００４７】
次に、受け皿体４０の各隅部５５ａ、５５ｂ、５５ｃ、５５ｄに延設した支持片５３ａ、５３ｂ、５３ｃ、５３ｄの支持片鳩目５４ａ、５４ｂ、５４ｃ、５４ｄに連結したワイヤーチェーン１００、１００、１００、１００をそれぞれ最も近い場所に位置する脚柱１２ａ、１２ｂ、１２ｃ、１２ｄの外方から巻き回して周壁部Ｗａ、Ｗｂ、Ｗｃ、Ｗｄの壁部鳩目５２ａ、５２ｂ、５２ｃ、５２ｄに係合する。
【００４８】
その後、必要に応じて受け皿体４０の左右袋体７０、７０の面ファスナー９０を開放して開口部７１を形成し、該開口部７１から左右袋体７０、７０に硬質プレート８０、８０を挿入して棚を完成させる。
【００４９】
作業終了後は、受け皿体４０を脚立１０に設置した状態で脚立１０の開脚状態を維持している係合手段２０の枢支部２２を上方に移動させることで固定状態を解除して脚立１０の脚柱１２を閉脚状態にすると共に、受け皿体４０の折曲仕切り部Ｐを下方に変位するように周壁部Ｗｂ、Ｗｄを対向するように折り畳むことで脚立１０を収納形態に変形できる。
【００５０】
なお、本発明は上述した実施形態に限られず、上述した実施形態の中で開示した各構成を相互に置換したり組合せを変更したりした構成、公知発明並びに上述した実施形態の中で開示した各構成を相互に置換したり組合せを変更したりした構成、等も含まれる。また、本発明の技術的範囲は上述した実施形態に限定されず、特許請求の範囲に記載された事項とその均等物まで及ぶものである。
【符号の説明】
【００５１】
１０  脚立
１１  天板
１２、１２ａ、１２ｂ、１２ｃ、１２ｄ  脚柱
１３、１３ａ、１３ｂ、１３ｃ、１３ｄ  ヒンジ軸取付け金具
１３ｅ  枢支部
１６  踏桟
２０  係合手段
２１  止め金具
２２  枢支部
２３  係合ピン
３０  工具載置空間
４０  受け皿体
５０  上層布
５１ａ〜ｄ  壁面
５１ｅ  凹部
５２ａ〜ｄ  壁部鳩目
５３  支持片
５４ａ〜ｄ  支持片鳩目
５５ａ〜ｄ  隅部
６０  下層布
６１  折曲片
７０  左右袋体
７１  開口部
８０  硬質プレート
８１  磁性体
９０  面ファスナー
９１  フック部
９２  ループ部
１００  ワイヤーチェーン
１０１  連結手段
Ｗ、Ｗａ、Ｗｂ、Ｗｃ、Ｗｄ  周壁部
Ｐ  折曲仕切り部
【図１】
2020101015.tif 000003
【図２】
2020101015.tif 000004
【図３】
2020101015.tif 000005
【図４】
2020101015.tif 000006
【図５】
2020101015.tif 000007
【図６】
2020101015.tif 000008